(57)【要約】【課題】簡易な構造でありながら、傾斜角度が調整でき、かつ移動が容易なゴルフ練習器を提供する。【解決手段】ゴルフ練習器１０は、上面に傾斜が設けられた基台１２と、基台１２の側面方向から着脱できる傾斜角度調整台１４と、基台１２の上部に設けられた人工芝１６と、基台１２と人工芝１６の間に設けられた緩衝体１７と、基台１２の下面に設けられた底板１８と、基台１２の下面方向から傾斜角度調整台１４が嵌め込まれた状態で、傾斜角度調整台１４の一部が底板１８から突出するような孔部２０とを備え、孔部２０は、傾斜角度調整台１４が嵌め込まれる向きに応じて、底板１８から突出する部分の傾斜角度調整台１４の高さが異なるように構成されている。【選択図】図１
0003146503.tif 000002
【実用新案登録請求の範囲】
【請求項１】
上面に傾斜が設けられた基台と、
前記基台の側面方向から着脱できる傾斜角度調整台と、
前記基台の上部に設けられた人工芝と、
前記基台の下部に設けられた底板と、
前記基台の下部方向から前記傾斜角度調整台が嵌め込まれた状態で、前記傾斜角度調整台の一部が前記底板から突出するような孔部と、を備え、
前記孔部は、前記傾斜角度調整台が嵌め込まれる向きに応じて、前記底板から突出する部分の前記傾斜角度調整台の高さが異なるように構成されたゴルフ練習器。
【請求項２】
前記傾斜角度調整台は略直方体形状を有し、
前記孔部は、この略直方体の第１の側面が前記基台の下部に向けられて前記傾斜角度調整台が嵌め込まれたときに対応する第１の凹部と、前記第１の側面と隣接する第２の側面が前記基台の下部に向けられて前記傾斜角度調整台が嵌め込まれたときに対応する第２の凹部と、を有する請求項１記載のゴルフ練習器。
【請求項３】
前記基台は略円柱を斜めに輪切りしたような形状を有する請求項１または２記載のゴルフ練習器。
【請求項４】
前記傾斜角度調整台は中空金属から構成される請求項１から３のいずれか１項記載のゴルフ練習器。
【考案の詳細な説明】
【技術分野】
【０００１】  本考案は、傾斜面でボールを打つ練習を行うゴルフ練習器に関するものである。
【背景技術】
【０００２】  傾斜面でボールを打つ練習を行うゴルフ練習機としては、特許文献１に記載されたものがある。このゴルフ練習機は、打席プレートの下面の３点の高さをシリンダーで任意に制御して、打席プレートの傾斜角度を任意に設定するものである。【０００３】  しかし、このゴルフ練習機は、大掛かりな設置工事が必要であり、相当の設置費用がかかってしまう。また、このゴルフ練習機は、持ち運びに不向きである。【０００４】
【特許文献１】特開平７−８０１０８号公報
【考案の開示】
【考案が解決しようとする課題】
【０００５】  本考案が解決しようとする課題は、傾斜角度が調整できるゴルフ練習機が高価で移動困難なことである。
【課題を解決するための手段】
【０００６】  本考案は、上面に傾斜が設けられた基台と、基台の側面方向から着脱できる傾斜角度調整台と、基台の上部に設けられた人工芝と、基台の下部に設けられた底板と、基台の下部方向から傾斜角度調整台が嵌め込まれた状態で、傾斜角度調整台の一部が底板から突出するような孔部と、を備え、孔部は、傾斜角度調整台が嵌め込まれる向きに応じて、底板から突出する部分の傾斜角度調整台の高さが異なるように構成されたゴルフ練習器である。
【考案の効果】
【０００７】  本考案のゴルフ練習器は、簡易な構造でありながら、傾斜角度を調整でき、かつ移動が容易であるという利点を有する。
【考案を実施するための最良の形態】
【０００８】  図１および図２は、本考案の実施の形態に係るゴルフ練習器１０を示す。図１と図２は、それぞれゴルフ練習器１０の側面図と底面図である。なお、各図における寸法比は、実物の寸法比に必ずしも対応していない。ゴルフ練習器１０は、基台１２と、傾斜角度調整台１４と、人工芝１６と、緩衝体１７と、底板１８と、孔部２０とを備えている。【０００９】  基台１２は、略円柱を斜めに輪切りしたような形状を有し、その上面は傾斜が設けられ、軽量で強度がある材質、例えば、硬質ウレタン・硬質スポンジ様なもので構成されている。基台１２が略円柱を斜めに輪切りしたような形状を有しているため、ゴルフ練習器１０を水平面で回転させることによって、設置面積を変えることなく、「つま先上がり」、「つま先下がり」、「左足上がり」、「左足下がり」、「つま先上がりで左足上がり」、「つま先上がりで左足下がり」、「つま先下がりで左足上がり」、「つま先下がりで左足下がり」等の様々な練習環境が実現できる。ゴルフ練習器１０の傾斜角度、すなわち基台１２の底面と上面がなす角度は、様々なゴルフコースに対応した５度〜２０度が好ましい。本実施の形態に係るゴルフ練習器１０では、基本傾斜は５〜６度である。【００１０】  多様な体格を有する練習者に対応するため、基台１２の底面の直径は、１１００ｍｍ〜１４００ｍｍが好ましい。本実施の形態では１２００ｍｍである。また、基台１２の高さは、最低部で４０ｍｍ〜６０ｍｍ、最高部で９０ｍｍ〜１１０ｍｍが好ましい。本実施の形態では最低部が５０ｍｍ、最高部が１００ｍｍである。【００１１】  基台１２の側面には傾斜角度調整台１４を収納する収納孔２２が設けられており、傾斜角度調整台１４が側面方向から着脱できるようになっている。収納孔２２は、基台１２の中心付近に設けられている。傾斜角度調整台１４の着脱には、面ファスナー等が使用できる。すなわち、収納孔２２と傾斜角度調整台１４にそれぞれ設けられた面ファスナーが着脱することによって、傾斜角度調整台１４の収納および取り出しを行う。基台１２は、基台１２より大きな形状を有する材料物質を、切断したり削ったりして作製することができる。また、基台１２の材質が硬質ポリウレタンフォームの場合は、射出成形によって基台１２を作製してもよい。【００１２】  傾斜角度調整台１４は、基台１２の下部方向から孔部２０に嵌め込んで、ゴルフ練習器１０の高さを変化させる。ゴルフ練習器１０の高さを変化させることによって、ゴルフ練習器１０を床や地面に設置したときに傾斜角度を変化させることができる。このため、様々な傾斜角度を有するゴルフ練習環境が簡易に実現できる。【００１３】  後述するように、本実施の形態では、傾斜角度調整台１４が嵌め込まれる向きに応じて、底板１８から突出する部分の傾斜角度調整台１４の高さが異なるように孔部２０が形成されている。このため、傾斜角度調整台１４の不使用時の他、２段階の傾斜角度が設定できる結果、３段階の傾斜角度が実現できる。【００１４】  傾斜角度調整台１４は、縦８０ｍｍ×横９００ｍｍ×高さ５０ｍｍの略直方体形状を有し、軽量で強度がある材質、例えば、プラスチック、木材、中空金属から構成されている。この中でも、軽さ、加工性、強度、製造コストを総合的に考慮すれば、中空金属が優れている。中空金属から構成される傾斜角度調整台１４の材料となる金属としては、アルミニウム、チタン、鉄角パイプ等が挙げられる。【００１５】  人工芝１６は、基台１２の上部に設けられ、練習者がゴルフボールを置き、ゴルフクラブでゴルフボールを打つ個所となる。人工芝１６の長さは、傾斜角度によって許容範囲は異なるが、傾斜面でゴルフボールが自然に転がらず、かつゴルフボールが打ちにくくなり過ぎない長さ、例えば５ｍｍ〜２０ｍｍに設定されている。本実施の形態では１０ｍｍである。【００１６】  緩衝体１７は、基台１２と人工芝１６との間に設けられており、練習者がゴルフボールを打ったときに基台１２から練習者の手に伝わる衝撃を緩和する。また、練習者がゴルフボールを打ったときにゴルフクラブから基台１２に伝わる衝撃も緩和する。緩衝体１７は、スポンジ様の衝撃を緩和しやすい材質から構成されている。人工芝１６が衝撃を緩和しやすい材質から構成されているときには、緩衝体１７の設置を省略することができる。【００１７】  底板１８は、基台１２の下部に設けられた板状の部材で、基台１２の強度を向上させている。底板１８は、木材等から構成される。本考案の実施の形態では、底板１８の厚さは６ｍｍである。また、基台１２に傾斜角度調整台１４を収納した状態でゴルフ練習器１０を使用すること等を考慮し、底板１８は、滑りにくい材質、例えばゴム等から構成されていてもよい。また、底板１８の下面を滑りにくい形状、例えば凹凸形状や突起物を有する形状にしてもよい。底板１８には開口部が形成されており、この開口部は後述する孔部２０に連通、または孔部２０を構成している。【００１８】  孔部２０は、基台１２の下部方向から傾斜角度調整台１４が嵌め込まれた状態で、傾斜角度調整台１４の一部が底板１８から突出するように形成されている。また、孔部２０は、傾斜角度調整台１４が嵌め込まれる向きに応じて、底板１８から突出する部分の傾斜角度調整台１４の高さが異なるように形成されている。孔部２０の位置は、ゴルフ練習器１０を床または地面に設置したときの安定性を考慮し、底板１８の中心と端部との中間付近が好ましい。【００１９】  人工芝１６と緩衝体１７、緩衝体１７と基台１２、基台１２と底板１８は、それぞれ接着剤や面ファスナー等によって固定されている。基台１２の材質が硬質ポリウレタンフォームの場合、予め金型に緩衝体１７および底板１８を配置し、基台１２の材料をこの金型に流入して、緩衝体１７と基台１２と底板１８を一体的に射出成形してもよい。【００２０】  図３は、ゴルフ練習器１０を高さ方向に切断したときの孔部２０周辺の断面拡大図である。なお、図３では、傾斜角度調整台１４が孔部２０に嵌め込まれた状態を示す。孔部２０は、図３（ａ）に示すように、傾斜角度調整台１４の第１の側面１４ａが基台１２の下部に向けられて傾斜角度調整台１４が嵌め込まれたときに対応する第１の凹部２０ａと、図３（ｂ）に示すように、第１の側面１４ａと隣接する第２の側面１４ｂが基台１２の下部に向けられて傾斜角度調整台１４が嵌め込まれたときに対応する第２の凹部２０ｂとを有する。図３（ａ）の状態では、底板１８から傾斜角度調整台１４の一部が１５ｍｍ突出し、図３（ｂ）の状態では、３０ｍｍ突出する。【００２１】  このため、傾斜角度調整台１４を基台１２に収納した状態、傾斜角度調整台１４を第１の凹部２０ａに嵌めこんだ状態、傾斜角度調整台１４を第２の凹部２０ｂに嵌めこんだ状態の３段階で高さ調整ができる。したがって、ゴルフ練習器１０を床または地面に設置したとき、傾斜角度を３段階で調整できる。なお、傾斜角度調整台１４を孔部２０に嵌めこんで固定する際には、面ファスナー等が使用できる。【００２２】  また、傾斜角度調整台１４を第１の凹部２０ａに嵌めこんだ状態、および傾斜角度調整台１４を第２の凹部２０ｂに嵌めこんだ状態では、ゴルフ練習器１０を床または地面に設置したときに、底板１８および傾斜角度調整台１４の一部が床または地面に接触して、ゴルフ練習器１０を支持する。【００２３】  以上、本考案の実施の形態に係るゴルフ練習器１０について説明したが、本考案はこの実施の形態に限定されず、他の形態を採用することもできる。例えば、基台１２は、多角柱（四角柱、六角柱、八角柱等）を斜めに輪切りしたような形状を有していてもよい。また、傾斜角度調整台１４を基台１２の側面方向から着脱しやすいように、傾斜角度調整台１４に指を掛ける凹部や突起部を設けてもよい。また、傾斜角度調整台１４を基台１２に収納しているときに使用する収納孔２２の蓋を設けてもよい。【００２４】  また、孔部２０に、劣化防止あるいは固定力強化の為、孔部２０の内面を覆うような形状を有する金具（図１に示す孔部補強金具２３）を装着してもよい。
【図面の簡単な説明】
【００２５】
【図１】本考案の実施の形態に係るゴルフ練習器の側面図である。
【図２】本考案の実施の形態に係るゴルフ練習器の底面図である。
【図３】本考案の実施の形態に係るゴルフ練習器を高さ方向に切断したときの断面拡大図である。
【符号の説明】
【００２６】  １０  ゴルフ練習器、  １２  基台、  １４  傾斜角度調整台、  １６  人工芝、  １７  緩衝体、  １８  底板、  ２０  孔部、  ２２  収納孔、  ２３  孔部補強金具
【図１】
0003146503.tif 000003
【図２】
0003146503.tif 000004
【図３】
0003146503.tif 000005